(57)【要約】【課題】使用用途別に映像データをダウンロードさせ、画像記録装置に接続されていないＰＣにおいても映像データを再生することができるようする画像記録装置を提供する。【解決手段】ネットワークを介して画像を取得するネットワークＩ／Ｆと、前記画像を記録する画像記録部と、前記記録された画像を別の装置へ送る配信処理部と、を備えた画像記録装置であって、前記配信処理部は、配信する画像の構成を選択でき、画像データを選択した構成に変換して別の装置へ送る。【選択図】図１
2012249216.tif 000002
【特許請求の範囲】
【請求項１】
ネットワークを介して画像を取得するネットワークＩ／Ｆと、前記画像を記録する画像記録部と、前記記録された画像を別の装置へ送る配信処理部と、を備えた画像記録装置であって、
前記配信処理部は、配信する画像の構成を選択でき、画像データを選択した構成に変換して別の装置へ送ることのできる特徴を有する画像記録装置。
【発明の詳細な説明】
【技術分野】
【０００１】
本発明は、監視カメラが撮像した映像データを記録する画像記録装置に関わり、特に、画像記録装置からクライアントＰＣ（Personal Computer）にダウンロードする場合に、他のＰＣでの再生に所定の制約を設けることが可能な画像記録装置に関するものである。
【背景技術】
【０００２】
映像監視システムは、ホテル、事務所、コンビニエンスストア、あるいは、金融機関等、ビル、ダム、あるいは、道路といった公共施設等において、犯罪抑止や事故防止等の目的で設置されている。
一般的な映像監視システムでは、カメラや撮像装置等の映像生成装置（以降、カメラと称する）によって監視対象エリアを撮像し、撮像された映像データを管理事務所や警備室等の監視センタに伝送する。監視センタでは、監視者は、伝送された映像データにより監視対象を監視し、目的や必要に応じて、注意や警告を行い、映像データを蓄積する。また、特許文献１参照には、画像記録装置に記録された映像データをネットワークを介してクライアント端末で閲覧するシステムが開示されている。
【０００３】
近年、こうした映像監視システムの分野において、カメラが監視視野内を撮像し、その映像データをデジタル化し、インターネットに代表されるＩＰ（Internet Protocol）ネットワークを介して、映像データを伝送して、所定の監視視野内の監視を行うネットワーク型映像監視システムが普及してきている。映像監視システムには、「監視映像を記録（蓄積）しておいて、問題発生時に時間を遡って記録映像を見る」といった監視形態もあり、金融機関や商店を中心にこうした記録型監視の顧客ニーズが存在する。
【０００４】
記録型監視には、常時記録とアラーム記録の２つの監視方式がある。
常時記録とは、カメラから伝送される映像データを常時取得して、画像記録装置内の記録部の単一領域に記録するものである。
また、アラーム記録とは、イベントが発生したときだけ記録するもので、例えば、人物がドアを通った等、ある監視視野内のあるエリアで動きがあったときだけ記録するものである。
【０００５】
常時記録とアラーム記録のどちらにおいても、記録された映像データは、画像記録装置内の記録部にのみ存在して、記録部の空き領域が無くなると古いデータから順に上書きしていく。そのため通常何も問題が発生しない場合は、ただ記録部に映像データが記録されていくが、見ることもなく消されている。
しかし何か問題があったときは、その問題発生時前後の映像データを再生して確認することになる。その映像データの再生は、画像記録装置が接続されているネットワーク内にある監視用クライアントＰＣを使用する。
【０００６】
しかし、問題発生時前後の映像データを確認する人は、監視センタの監視者だけとは限らない。例えば、警察などで確認する場合がある。その際は、記録した映像データをクライアントＰＣへダウンロードして、そのデータをＣＤ−ＲＯＭ（Compact Disc - Read Only Memory）などのリムーバルな記録媒体（メディア）にコピーして、警察などの別のＰＣで再生する。
その場合、ダウンロードした映像データの再生は、映像データが記録された画像記録装置に付属するアプリケーションと同一のアプリケーションを使って再生されることになる。
なお、アラーム記録された映像データは、イベントが発生したときの映像データが集められているため、常時録画されている映像データとは別に、適宜クライアントＰＣにダウンロードしておき、上書きされ映像データが消えることのないよう管理されているケースも多々ある。
【先行技術文献】
【特許文献】
【０００７】
【特許文献１】特開２００５−２１０４３５号公報
【発明の概要】
【発明が解決しようとする課題】
【０００８】
上述したように、クライアントＰＣは、画像記録装置から映像データをダウンロードする際には、映像データのダウンロードと共に、ダウンロードした映像データを再生するためのアプリケーションも同時にダウンロードする必要があることが多い。
クライアントＰＣは、ダウンロードした映像データを見るために、再生するためのアプリケーションを実行させて、映像データを再生して見る。
しかし近年のＰＣは、特に外部へ秘密情報が流出するなどの問題から、セキュリティに対して、対策が一層強化されてきている。そのため、ＰＣで再生するアプリケーションをインストールすることさえも許されない状態が発生している。
ダウンロードした映像データは、不特定のＰＣで再生されることが多い。このため、どのＰＣに持っていっても映像データを再生されることが望ましい。しかし、ＰＣでダウンロードされた映像データを再生して見る場合に、再生してを再生する当該ＰＣが、セキュリティの掛かった、情報漏えいする可能性のないＰＣであるという保障はない。
アラーム映像のように、重要な再生しては、特に、再生してそのものがセキュリティ的に問題がないものを望む例もある。
本発明の目的は、上記のような問題に鑑み、使用用途別に映像データをダウンロードさせ、画像記録装置に接続されていないＰＣにおいても映像映像データを再生することができるようする画像記録装置を提供することにある。
【課題を解決するための手段】
【０００９】
上記課題を解決するために、本発明の画像記録装置は、ネットワークを介して画像を取得するネットワークＩ／Ｆと、前記画像を記録する画像記録部と、前記記録された画像を別の装置へ送る配信処理部と、を備えた画像記録装置であって、前記配信処理部は、配信する画像の構成を選択でき、画像データを選択した構成に変換して別の装置へ送るものである。
【００１０】
即ち、本発明の画像記録装置は、クライアント端末が前記画像記録装置から映像データをダウンロードする際に再生するためのアプリケーションを指定できるようにする。例えば、画像記録装置からダウンロードする際、ユーザインタフェースで、ダウンロードされた映像データをどこで使用されるかを考慮し、再生可能な複数の映像フォーマットから選択するようにしたものである。
この選択された映像フォーマットに従い、画像記録装置では記録部に記録されている映像データを変換してダウンロードデータを作成し、クライアントＰＣへダウンロードさせる。
【００１１】
映像フォーマットの項目は、（１）独自、（２）指定、（３）自動、および（４）重要である。
（１）独自を選択すると、再生するためのアプリケーションを付けてダウンロードする。そのため、アプリケーションをクライアントＰＣにインストールすることが可能であれば、どのクライアントＰＣでも再生が可能になる。
（２）指定を選択すると、クライアントＰＣの大半には実装されているアプリケーションで再生可能なフォーマットの一覧が表示され、その中から選択する。大半のクライアントＰＣでは再生が可能となるが、全クライアントＰＣで再生できるとは限らない。しかし、再生アプリをダウンロードデータに載せる必要もないためダウンロード量が少なくすむ。
（３）自動を選択すると、クライアントＰＣから動画再生可能なアプリケーションを自動で検索してそのアプリケーションにあったフォーマットが自動で選択される。同機種のクライアントＰＣでしか、使用しない場合には有効である。
（４）重要を選択すると、映像データは画像記録装置独自のフォーマットになるが、映像データに暗号を掛けてパスワードで解かない限り、再生することができない。
以上のように、フォーマットを選択できることにより、多様なクライアントＰＣに対応したダウンロードをできるようになる。
【発明の効果】
【００１２】
本発明によれば、クライアントＰＣは、画像記録装置から使用用途別に映像データをダウンロードすることができるようにできるため、画像記録装置に接続されていないＰＣにおいても映像データを再生することができるようになり、必要な部分の映像データを確認でき易くなる。
【図面の簡単な説明】
【００１３】
【図１】本発明の画像記録装置の一実施例を用いたネットワーク型映像監視システムの構成を示す図である。
【図２】本発明の画像記録装置６の一実施例の構成を示すブロック図である。
【図３】本発明の画像記録装置６に記録された映像データをクライアント端末（映像受信装置５）にダウンロードする処理手順を記したフローチャートである。
【発明を実施するための形態】
【００１４】
本発明の監視記録装置においては、クライアントＰＣが監視記録装置から所望の映像データをダウンロードする際に、再生するためのアプリケーションを指定できるようにする。
例えば、画像記録装置は、クライアントＰＣに所定の映像データをダウンロードさせる場合に、映像データの使用用途を選択させるようにする。クライアントＰＣは、ユーザの指示によって、画像記録装置からダウンロードする際に、ダウンロードした映像データをどこで使用されるかを考慮し、ユーザインタフェースで、再生可能な映像フォーマットを選択する。
この選択された映像フォーマットに従い、画像記録装置では記録部に記録されている映像データを変換してダウンロードデータを作成し、クライアントＰＣへダウンロードさせる。
本発明では、選択可能な映像フォーマットを、以下の（１）〜（４）の項目とする。
【００１５】
（１）「独自」：クライアントＰＣが、ユーザの指示によって、画像記録装置からダウンロードする際に、画像記録装置自体の独自フォーマットを選択すると、再生するためのアプリケーションを付けてダウンロードする。そのため、アプリケーションをＰＣにインストールすることが可能であれば、どのＰＣでもダウンロードした映像データを再生可能である。
【００１６】
（２）「指定」：クライアントＰＣが、ユーザの指示によって、画像記録装置からダウンロードする際に、映像フォーマットの指定を選択すると、ＰＣの大半に実装されているアプリケーションで再生可能なフォーマットの一覧が表示され、その中から選択が可能となる。大半のＰＣで再生が可能となるが、全てのＰＣで再生できるとは限らない。しかし、再生用のアプリケーションをダウンロードデータに載せる必要もないためダウンロード量が少なく済む。
【００１７】
（３）「自動」：クライアントＰＣが、ユーザの指示によって、画像記録装置からダウンロードする際に、ＰＣビューア自動選択を選択すると、ＰＣから動画再生可能なアプリケーションを自動で検索してそのアプリケーションにあったフォーマットが自動で選択される。同機種のＰＣでしか、使用しない場合には有効である。
【００１８】
（４）「重要」：クライアントＰＣが、ユーザの指示によって、画像記録装置からダウンロードする際に、重要を選択すると、ダウンロードされる映像データは画像記録装置独自のフォーマットになる。しかし、映像データに暗号を掛けてパスワードで解かない限り、再生することができない。
【００１９】
以上のように、フォーマットを選択できることにより、多様なクライアントＰＣに対応したダウンロードをできるようになる。
【００２０】
以下に本発明の一実施形態を図面等を用いて説明する。なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
また、本書では、以降の各図の説明において、共通な機能を有する構成要素には同一の参照番号を付し、説明を省略する。
【００２１】
図１によって、本発明の画像記録装置の一実施例を説明する。図１は、本発明の画像記録装置の一実施例を用いたネットワーク型映像監視システムの構成を示す図である。１は映像生成装置としてのカメラ、２は映像発信装置としてのエンコーダ、４はネットワーク、５は映像受信装置、６は画像記録装置、３は画像記録装置がデータを蓄積するための記録媒体である。
図３のネットワーク型映像監視システムにおいて、ネットワーク４は、例えば、ネットワークケーブルや無線ＬＡＮ（Local Area Network）、公衆回線等であり、発信されたデータを伝送する役割を持つ。
また、ネットワーク４には、ルータやハブ等のネットワーク機器も含まれる。ネットワーク４に接続された装置は、それぞれ、このネットワーク４を介して互いが通信することができる。なお図３において、ネットワーク４を介して画像記録装置に接続される各装置の台数は任意に選択できる。
【００２２】
図１の映像生成装置は、例えば、監視対象エリアを撮像して映像データを生成する監視用のカメラ１である。
映像発信装置であるエンコーダ２は、図示しないセンサからの検知データを受け、監視用のカメラ１が撮像したアナログの映像データをデジタル化しエンコードしてネットワークに配信するＷｅｂエンコーダ装置である。なお、カメラ１とエンコーダ２を、１つの装置（Ｗｅｂカメラ）として結合された形態とすることもできる。
【００２３】
映像受信装置５は、ネットワークインターフェイス（Ｉ／Ｆ）と画像コーデック、映像表示機能を内蔵した装置で、例えば、クライアントＰＣである。図３の実施例では、映像受信装置５をクライアントＰＣ５として説明する。
また、映像受信装置５は、ネットワーク４を介して伝送されてきた映像データを受信し、映像表示が可能な形に変換して出力する役割を持つ例えばデコーダ装置でもある。また、映像受信装置５は、画像記録装置６に対し、再生や早送り等の再生指示を行う操作Ｉ／Ｆ（インターフェイス）も内蔵する。このインターフェイスは、例えば、コンピュータ画面のＧＵＩ（Graphical User Interface）、あるいは、映像受信装置に接続された制御盤端末でも良い。
【００２４】
記録媒体３は、例えば、ハードディスクやディスクアレイといった映像データを記録する媒体であり、画像記録装置６と、例えば、ＳＣＳＩ（Small Computer System Interface）やＡＴＡ（AT Attachment）、ＦｉｂｒｅＣｈａｎｎｅｌといった専用のＩ／Ｆ、または、ＳＡＮ（Storage Area Network）やＮＡＳ（Network Attached Storage）といったＩＰネットワークを用いたＩ／Ｆ等によって接続されている。
【００２５】
次に、図２と図３によって、本発明のダウンロードフォーマット指定機能を持った画像記録装置について説明する。図２は、本発明の画像記録装置６の一実施例の構成を示すブロック図である。また、図３は、本発明の画像記録装置６に記録された映像データをクライアント端末（映像受信装置５）にダウンロードする処理手順を記したフローチャートである。本発明の画像記録装置６において、２０１は制御部であるＣＰＵ（Central Processing Unit）、２０２はネットワークＩ／Ｆ、２０３はアラームＩ／Ｆ、２０４は記録部Ｉ／Ｆ、２０５は記録部、２０６はデータバス、２０７は画像記録配信処理部、２０８はアラーム記録処理部、２０９はダウンロード処理部である。
【００２６】
図２において、データバス２０６は、ＣＰＵ２０１、ネットワークＩ／Ｆ２０２、アラームＩ／Ｆ２０３、記録部Ｉ／Ｆ２０４、画像記録配信処理部２０７、アラーム記録処理部２０８、およびダウンロード処理部２０９と相互にアクセスするためのデータバスである。また、ＣＰＵ２０１は、データバス２０６を介して、ネットワークＩ／Ｆ２０２、アラームＩ／Ｆ２０３、記録部Ｉ／Ｆ２０４、画像記録配信処理部２０７、アラーム記録処理部２０８、およびダウンロード処理部２０９を制御する。
ネットワークＩ／Ｆ２０２は、ネットワーク４と画像記録装置６とのインターフェイス、アラームＩ／Ｆ２０３は、アラーム記録時に入力されるアラームとのインターフェイス、記録部Ｉ／Ｆ２０４は、データバス２０６と記録部２０５とのインタフェイスである。画像記録配信処理部２０７は、ネットワーク４からネットワークＩ／Ｆ２０２を介して入力される映像データを所定のフォーマットで処理し、記録部Ｉ／Ｆ２０４を介して記録部２０５に記録する。またアラーム記録処理部２０８は、ネットワーク４からネットワークＩ／Ｆ２０２を介して入力される映像データを、アラームＩ／Ｆ２０３からのアラームがあった時に所定のフォーマットで処理し、記録部Ｉ／Ｆ２０４を介して記録部２０５に記録する。
ダウンロード処理部２０９は、記録部５に記録された映像データを、下記の実施例のように処理して、ネットワーク４を介して該当するクライアントＰＣ５に出力する。
【００２７】
図１〜図３によって、映像受信装置であるクライアントＰＣ５が、画像記録装置６から映像データのダウンロードを行う一実施例を説明する。
ステップＳ１〜ステップＳ６は、クライアントＰＣ５が、ネットワーク４を介して、画像記録装置６にアクセスして実行する。
【００２８】
ステップＳ１では、ユーザは、クライアントＰＣ５のユーザインタフェース（ＧＵＩ、等）によって、先ずダウンロードする映像データの開始時刻を指定する。開始時刻は、ユーザが時刻を直接キー入力する。または、クライアントＰＣ５に接続されているモニタ（図示しない）に表示されている映像データの時刻を指定するなど、方法は何れでもよい。
ステップＳ２では、ダウンロードする映像データの終了時刻を指定する。この時刻もユーザが時刻を直接キー入力する。または、表示されている映像データの時刻を指定するなど、方法は何れでもよい。
【００２９】
ステップＳ３では、ダウンロードする映像データの範囲が決まったことで、クライアントＰＣ５に、記録するフォルダを指定する。指定方法は、フォルダ名を絶対パスで直接キー入力する。または、階層図が表示されたＧＵＩなどから指定するなど何れでもよい。
ステップＳ４では、ダウンロードデータに、タイトルや日時などのコメントを入力する。本処理は、必ず実行する必要はない。従って、ユーザが指定しなければ、ステップＳ５に処理を移動しても良い。しかし、入力しておくことで、映像データを検索する際に容易になる可能性がある。
【００３０】
以上の設定できた時点で、ステップＳ５では、ダウンロードするフォーマットを選択する。
ダウンロードのフォーマットの指定は、例えば、（イ）映像データのフォーマット名を直接指定する。（ロ）ダウンロード後にできるファイルの拡張子から指定する。（ハ）再生するアプリケーション名から指定する。といった方法がある。
【００３１】
以下の実施例では、（ハ）再生するアプリケーション名と方法から指定する方法によりダウンロードのフォーマットを指定することで説明をする。
ステップＳ６では、（ハ）に関連して、すでに説明した（１）「独自」、（２）「指定」、（３）「自動」、（４）「重要」の４項目の選択可能な映像フォーマットの中から、ユーザがＧＵＩ等で選択する。
ステップＳ５でダウンロードするフォーマットの指定ができたら、ステップＳ６では、ダウンロードを開始する。即ち、クライアントＰＣ５は、ネットワーク４を介して、画像記録装置６にダウンロード開始指示信号を伝送する。そして、ステップＳ１〜ステップＳ５まで設定した設定情報のデータを画像記録装置６に転送（送信）する。
【００３２】
以上のステップＳ１〜ステップＳ６の処理動作が、クライアントＰＣ５の操作で行われる。以後の処理動作は、画像記録装置６がネットワーク４を介して、クライアントＰＣ５にアクセスして実行される。
【００３３】
ステップＳ７では、クライアントＰＣ５からのダウンロード開始指示信号と共に送信された設定情報のデータを受信する。画像記録装置６は、転送されてきたデータの中のフォーマットの指定のデータを見て、（１）「独自」の場合にはステップＳ１０の処理に分岐し、（２）「指定」の場合にはステップＳ２０の処理に分岐し、（３）「自動」の場合にはステップＳ３０の処理に分岐し、（４）「重要」の場合にはステップＳ４０の処理に分岐する。
【００３４】
フォーマットが画像記録装置独自のフォーマットの場合には、ステップＳ１０のステップＳ１１において、先ずダウンロードする映像データを再生するために必要なアプリケーションをクライアントＰＣ５へダウンロードする。
再生するアプリケーションは、例えば、画像記録装置内の指定したフォルダに記録しておく等、既に存在する場所から転送する方法がある。
ステップＳ１１でアプリケーションをダウンロードし終わったら、ステップＳ１２では、映像データを読み込む。例えば、記録部２０５に記述されている映像データからダウンロード開始の時刻の映像データを１枚読み出し、ダウンロード処理部２０９で記憶する。
【００３５】
次に、ステップＳ１３では、記録装置独自のフォーマットになるよう付属データを追加して形成する。
この時刻の映像データを読み出してはフォーマットを形成する処理をダウンロード終了時刻の映像データまで行う。
ステップＳ１４では、これにより作成できた画像記録装置独自フォーマットの映像データをクライアントＰＣ５にダウンロードさせる。
以上により記録装置独自フォーマットの場合のダウンロードを終了する。
【００３６】
フォーマットがアプリケーション名を選択する場合には、ステップＳ２０のステップＳ２１において、先ず選択されたアプリケーション名を認識して、そのアプリケーションに適した処理が動作する。即ち、ステップＳ２１では、映像データを読み込む。例えば、記録部２０５に記述されている映像データから、ダウンロード開始の時刻の映像データを１枚読み出し、ダウンロード処理部２０９で記憶する。
次に、ステップＳ２２では、アプリケーションに適したフォーマットになるよう付属データを追加して形成する。この時刻の映像データを読み出してはフォーマットを形成する処理をダウンロード終了時刻の映像データまで行う。
ステップＳ２３では、ステップＳ２２により作成できたアプリケーションに適したフォーマットの映像データをクライアントＰＣ５にダウンロードする。
以上によりアプリケーション名を選択する場合のダウンロードを終了する。
【００３７】
フォーマットが映像再生アプリケーションを自動選択する場合には、ステップＳ３０のＳ３１において、先ずクライアントＰＣ５内で映像再生するアプリケーションがあるかを調べる。
ステップＳ３２では、見つかったアプリケーションの中から、使用するアプリケーションを決める。決め方は、クライアントＰＣ５によく実装されているアプリケーションの順にから検索（予め定めた順番に検索）して、見つかった時点で検索をやめ、使用するアプリケーションとする、若しくは、見つかった複数のアプリケーションから使用頻度の高いアプリケーションを選択するなど、いずれの方法でもよい。
選択されたアプリケーション名を認識して、そのアプリケーションに適した処理が動作する。
ステップＳ３３では、映像データを読み込む。例えば、記録部２０５に記述されている映像データからダウンロード開始の時刻の映像データを１枚読み出し、ダウンロード処理部２０９で記憶する。
【００３８】
次に、ステップＳ３４では、アプリケーションに適したフォーマットになるよう付属データを追加して形成する。
この時刻の映像データを読み出してはフォーマットを形成する処理をダウンロード終了時刻の映像データまで行う。
ステップＳ３５では、これにより作成できたアプリケーションに適したフォーマットの映像データをクライアントＰＣ５にダウンロードさせる。
以上により自動選択の場合のダウンロードを終了する。
【００３９】
フォーマットが重要映像を選択した場合には、ステップＳ４０のステップＳ４１において、先ずダウンロードする映像データを再生するために必要なアプリケーションをクライアントＰＣ５へダウンロードする。再生するアプリケーションは、画像記録装置内の指定したフォルダに記録しておく等、既に存在する場所から転送する方法がある。
ステップＳ４１でアプリケーションをダウンロードし終わったら、次にステップＳ４２では、映像データを読み込む。例えば、記録部２０５に記述されている映像データからダウンロード開始の時刻の映像データを１枚読み出し、ダウンロード処理部２０９で記憶する。
次に、ステップＳ４３では、読み込んだ映像データを暗号化する。次に、ステップＳ４４では、記録装置独自のフォーマットになるよう付属データを追加して形成する。
この時刻の映像データを読み出しからフォーマットを形成する処理をダウンロード終了時刻の映像データまで行う。
暗号化するのは、映像データのみに掛ける、形成したフォーマットデータに掛けるなどダウンロード再生する際に暗号を解答しないと見ることができないようにしてあれば、何れでもよい。
ステップＳ４５では、これにより作成できた画像記録装置独自フォーマットの映像データをクライアントＰＣ５にダウンロードする。
以上により重要映像を選択した場合のダウンロードを終了する。
【００４０】
図２および図３の実施例により、画像記録装置からダウンロードする際に、ダウンロードデータのフォーマットを選択できることにより、何れのクライアントＰＣに映像データを持っていっても、再生して見えるようになる。
【符号の説明】
【００４１】
１：カメラ、  ２：エンコーダ、  ３：記録媒体、  ４：ネットワーク、  ５：映像受信装置、  ６：画像記録装置、  ２０１：ＣＰＵ、  ２０２：ネットワークＩ／Ｆ、  ２０３：アラームＩ／Ｆ、  ２０４：記録部Ｉ／Ｆ、  ２０５：記録部、  ２０６：データバス、  ２０７：画像記録配信処理部、  ２０８：アラーム記録処理部、  ２０９：ダウンロード処理部。
【図１】
2012249216.tif 000003
【図２】
2012249216.tif 000004
【図３】
2012249216.tif 000005